(57)【要約】【課題】電気掃除機において、安定して塵埃を圧縮し、集塵量報知精度を高めること。【解決手段】塵埃を捕集する集塵容器４と、電動送風機２に連通すると共に集塵容器４が着脱自在に装着される集塵容器収納部５と、集塵容器４内に配され捕集された塵埃を圧縮する圧縮板３０と、圧縮板３０を駆動する圧縮駆動手段５５と、その負荷量を検知する負荷量検知手段５３を設け、圧縮板３０で塵埃を圧縮している時に、負荷量検知手段が所定の負荷量を検知すると、圧縮板３０を反転させ、そのときの圧縮板３０の集塵容器４内の移動距離を集塵量移動検知手段５７が検知し、その結果から集塵量判断手段５８によって集塵量を判断して報知するもので、安定した圧縮動作を行い、耐久性に優れ且つ、精度の高い集塵量の判断および報知を行うことができる電気掃除機を提供することができる。【選択図】図７
2008073066.tif 000002
【特許請求の範囲】
【請求項１】
電動送風機と、塵埃を捕集する集塵容器と、前記電動送風機に連通すると共に前記集塵容器が着脱自在に装着される集塵容器収納部と、前記集塵容器内に配され捕集された前記塵埃を圧縮する圧縮手段と、前記圧縮手段を駆動する圧縮駆動手段と、前記圧縮駆動手段に加わる負荷量を検知する負荷量検知手段と、前記圧縮手段の圧縮量を検出する圧縮量検出手段と、集塵容器内の塵埃量を報知する集塵量報知手段とを備え、前記圧縮手段で前記塵埃を圧縮しているときに、前記負荷量検知手段が所定の負荷量を検知すると、前記圧縮手段を後退させるとともに、前記圧縮量検出手段の検出した圧縮量に基づいて集塵容器内の塵埃量を判断し、前記塵埃量を集塵量報知手段により報知する電気掃除機。
【請求項２】
圧縮量検出手段は、集塵容器外に配された圧縮駆動手段と連動する部位に配され、前記圧縮駆動手段の駆動量から圧縮量を検出する請求項１記載の電気掃除機。
【請求項３】
集塵容器内の塵埃量の判断および報知は、圧縮手段を一度駆動して塵埃の圧縮を行った後、再度圧縮手段を駆動して行うようにした請求項１又は２記載の電気掃除機。
【請求項４】
集塵容器に設けられた、塵埃を補修するフィルターと、前記フィルターを除塵する除塵手段と、前記除塵手段を駆動する除塵駆動手段とを備え、前記除塵手段を先に動作させてフィルターから細塵を落とした後に圧縮手段を動作させ、圧縮量検出手段の検出した圧縮量に基づいて集塵容器内の塵埃量を判断し、前記塵埃量を集塵量報知手段により報知する請求項１〜３のいずれか１項記載の電気掃除機。
【請求項５】
集塵容器が集塵容器収納部に装着されているか否かを検知する集塵容器検知手段を備え、集塵容器が装着されていないと検知した場合は、その前の圧縮による集塵容器内の塵埃量の判断内容および報知内容を消去し、その後装着されたときに圧縮手段を駆動し、圧縮量検出手段の検出した圧縮量に基づいて集塵容器内の塵埃量を判断し、前記塵埃量を集塵量報知手段により報知する請求項１〜４のいずれか１項に記載の電気掃除機。
【請求項６】
圧縮量検出手段の検出した圧縮量に基づいて判断した集塵容器内の塵埃量が所定量以上となって、前記集塵容器内が満杯状態と判断される場合に、集塵量報知手段とは別に満杯状態を報知するための満杯報知手段を備え、集塵容器内が満杯状態と判断される場合には、圧縮手段を駆動した直後の塵埃量の判断時に加えて、電動送風機の運転開始時にも、使用者への満杯報知を行う請求項１〜５のいずれか１項に記載の電気掃除機。
【発明の詳細な説明】
【技術分野】
【０００１】
本発明は、電気掃除機に関するもので、特に、捕集された塵埃を圧縮する機構を有する電気掃除機に関するものである。
【背景技術】
【０００２】
従来のこの種の電気掃除機として、集塵袋を圧縮させ、その圧縮板の位置から塵埃量を判断させるというものがあった（例えば、特許文献１参照）。
【０００３】
ただし、集塵袋の場合は圧縮手段の反転は不要であったが、集塵容器内の塵埃を圧縮させる場合には、容器内の塵埃を圧縮させて集塵量を増加させるとともに、吸引風路を確保して吸引力を長持ちさせるという目的もあり、圧縮手段を往復動作させる必要があり、集塵ケース内の塵埃を圧縮する圧縮板が往復動自在に取り付けられた掃除機本体と、前記掃除機本体を載置状態で支える収納ケースと、前記集塵ケースから下方に突出する作動体とを設け、前記掃除機本体を収納ケースに載置する都度に、前記作動体を前記収納ケースに干渉させて動作させ、その動作力を伝達機構により圧縮板に伝えて掃除後にゴミを圧縮し、さらに前記伝達機構にクラッチを設けて、作動体の動作に関係なく手動でも圧縮板を操作できるようにしたものがある（例えば、特許文献２参照）。
【特許文献１】特開平０２−７９２７号公報
【特許文献２】特公昭６４−４７７６号公報
【発明の開示】
【発明が解決しようとする課題】
【０００４】
しかしながら、上記特許文献２に記載された電気掃除機の構成では、集塵量の報知という機能を持っておらず、特許文献１に記載された手法も、安定した圧縮機構を考慮しておらず、集塵容器内部に検出するための手段を配する必要があり、耐久性や精度の観点からも塵埃量の検出に用いることは困難であった。
【０００５】
本発明は、前記従来の課題を解決するもので、安定した圧縮力で塵埃容器内の塵埃を圧縮することが出来、耐久性に優れ且つ、精度の高い集塵量の報知を行うことができる電気掃除機を提供することを目的とする。
【課題を解決するための手段】
【０００６】
前記従来の課題を解決するために、本発明の電気掃除機は、電動送風機と、塵埃を捕集する集塵容器と、前記電動送風機に連通すると共に前記集塵容器が着脱自在に装着される集塵容器収納部と、前記集塵容器内に配され捕集された前記塵埃を圧縮する圧縮手段と、前記圧縮手段を駆動する圧縮駆動手段と、前記圧縮駆動手段に加わる負荷量を検知する負荷量検知手段と、前記圧縮手段の圧縮量を検出する圧縮量検出手段と、集塵容器内の塵埃量を報知する集塵量報知手段とを備え、前記圧縮手段で前記塵埃を圧縮しているときに、前記負荷量検知手段が所定の負荷量を検知すると、前記圧縮手段を後退させるとともに、前記圧縮量検出手段の検出した圧縮量に基づいて集塵容器内の塵埃量を判断し、前記塵埃量を集塵量報知手段により報知するようにしたもので、集塵容器内の塵埃の多少にかかわらず常に一定の力で塵埃を圧縮するため、塵埃の圧縮が不十分になったり、圧縮の際の力が強すぎて、集塵容器が破損したり変形することも無く、また、クラッチ機構のような機械的な解除機構を使用していないので、耐久性に優れ、圧縮手段の移動量で実際の塵埃量を判断できるので、精度の高い集塵量判断及び報知を行える電気掃除機を提供することができる。
【発明の効果】
【０００７】
本発明の電気掃除機は、安定した圧縮力で塵埃を圧縮することが出来、耐久性に優れ且つ、精度の高い集塵量の報知を行うことができ、使用勝手の良いものである。
【発明を実施するための最良の形態】
【０００８】
第１の発明は、電動送風機と、塵埃を捕集する集塵容器と、前記電動送風機に連通すると共に前記集塵容器が着脱自在に装着される集塵容器収納部と、前記集塵容器内に配され捕集された前記塵埃を圧縮する圧縮手段と、前記圧縮手段を駆動する圧縮駆動手段と、前記圧縮駆動手段に加わる負荷量を検知する負荷量検知手段と、前記圧縮手段の圧縮量を検出する圧縮量検出手段と、集塵容器内の塵埃量を報知する集塵量報知手段とを備え、前記圧縮手段で前記塵埃を圧縮しているときに、前記負荷量検知手段が所定の負荷量を検知すると、前記圧縮手段を後退させるとともに、前記圧縮量検出手段の検出した圧縮量に基づいて集塵容器内の塵埃量を判断し、前記塵埃量を集塵量報知手段により報知するようにしたもので、集塵容器内の塵埃の多少にかかわらず常に一定の力で塵埃を圧縮するため、塵埃の圧縮が不十分になったり、圧縮の際の力が強すぎて、集塵容器が破損したり変形することも無く、また、クラッチ機構のような機械的な解除機構を使用していないので、耐久性に優れ、圧縮手段の移動量で実際の塵埃量を判断できるので、精度の高い集塵量判断及び報知を行える電気掃除機を提供することができる。
【０００９】
第２の発明は、第１の発明の圧縮量検出手段は、集塵容器外に配された圧縮駆動手段と連動する部位に配され、前記圧縮駆動手段の駆動量から圧縮量を検出することを特徴とするもので、モータなど重い部品で構成される圧縮駆動手段を掃除機本体の集塵容器収納部に設けることで、集塵容器を軽量、コンパクトに形成するとともに、圧縮移動量検知手段も集塵容器外に配置できるので、その検知精度を確保したまま、集塵容器の持ち運び、取り扱いが極めて容易になる。
【００１０】
第３の発明は、第１または第２の発明の集塵容器内の塵埃量の判断および報知は、圧縮手段を一度駆動して塵埃の圧縮を行った後、再度圧縮手段を駆動して行うようにしたもので、集塵容器内の塵埃の偏りなどに対して、より安定した圧縮手段の移動が確保でき、塵埃量の検出に対する精度の向上を図ることができる。
【００１１】
第４の発明は、第１〜第３のいずれか１つの発明に加えて、集塵容器に設けられた、塵埃を補修するフィルターと、前記フィルターを除塵する除塵手段と、前記除塵手段を駆動する除塵駆動手段とを備え、前記除塵手段を先に動作させてフィルターから細塵を落とした後に圧縮手段を動作させ、圧縮量検出手段の検出した圧縮量に基づいて集塵容器内の塵埃量を判断し、前記塵埃量を集塵量報知手段により報知するもので、適宜除塵手段で、フィルターを除塵することにより取り除かれた細塵も合わせて圧縮させることができ、フィルターの濾過性能を高めるとともに塵埃量の精度としても向上させることができる。
【００１２】
第５の発明は、第１〜第４のいずれか１つの発明に加えて、集塵容器が集塵容器収納部に装着されているか否かを検知する集塵容器検知手段を備え、集塵容器が装着されていないと検知した場合は、その前の圧縮による集塵容器内の塵埃量の判断内容および報知内容を消去し、その後装着されたときに圧縮手段を駆動し、圧縮量検出手段の検出した圧縮量に基づいて集塵容器内の塵埃量を判断し、前記塵埃量を集塵量報知手段により報知するもので、塵埃量の報知に関して使用者の操作に応じて適時対応することができる使い勝手のよい電気掃除機を提供することができる。
【００１３】
第６の発明は、第１〜第５のいずれか１つの発明に加えて、圧縮量検出手段の検出した圧縮量に基づいて判断した集塵容器内の塵埃量が所定量以上となって、前記集塵容器内が満杯状態と判断される場合に、集塵量報知手段とは別に満杯状態を報知するための満杯報知手段を備え、集塵容器内が満杯状態と判断される場合には、圧縮手段を駆動した直後の塵埃量の判断時に加えて、電動送風機の運転開始時にも、使用者への満杯報知を行うもので、確実に満杯状態であることを知らせ、電動送風機に負担がかかる満杯状態での運転を防ぐとともに、集塵容器内の塵埃を所定量以上に溜め込み捨てにくくなるのを防止することが出来る。
【００１４】
以下、本発明の実施の形態について、図面を参照しながら説明する。なお、この実施の形態によって本発明が限定されるものではない。
【００１５】
（実施の形態１）
本発明の第１の実施の形態における電気掃除機について、図１〜図７を用いて説明する。図１は、本実施の形態における電気掃除機の全体斜視図、図２は、同電気掃除機の断面図である。
【００１６】
図１、図２において、掃除機本体１は、後部に電動送風機２を内蔵した電動送風機室３が配され、前部に、着脱自在で塵埃を分離捕集する集塵容器４を収納する集塵容器収納部５が配されている。掃除機本体１の前部には、ホース６の一端が着脱自在に接続される吸気口７が設けられている。
【００１７】
ホース６の他端には、掃除の際に握ると共に掃除機本体１の運転を操作するための運転操作部８を備えた先端パイプ９が設けられている。１０は伸縮自在或いは継ぎ自在の延長管で、下流側端部が前記先端パイプ９に着脱自在に接続され、他端は、床用吸込具１１に着脱自在に接続される。
【００１８】
１２は、集塵容器４の持ち運び用の容器ハンドルで、集塵容器４を持ち運ぶ時や、掃除機本体１の集塵容器収納部５から取り外す時に、握るものである。
【００１９】
次に、集塵容器４の構成について図３〜図６を用いて説明する。図３は、同電気掃除機の集塵容器の一部欠載斜視図、図４は、同集塵容器の断面図、図５は、同集塵容器と集塵容器収納部の斜視図、図６は、同集塵容器の裏面斜視図である。
【００２０】
図３〜６において、集塵容器４は、集塵容器本体１５と、集塵容器本体１５の後方開口部に着脱自在に装着されるフィルターユニット１６から構成されている。
【００２１】
集塵容器本体１５の前部には、集塵容器４を掃除機本体１の集塵容器収納部５に装着した時に、掃除機本体１の吸気口７の後方に気密に圧接し連通する吸入口１７が設けられている。集塵容器本体１５は、さらに、吸入口１７に直接連通すると共に粗塵を収納する粗塵室１８と粗塵室１８を通過した吸引風に含まれた細塵を捕集するフィルターユニット１６から離脱した細塵を収納する細塵室１９と、前記粗塵室１８と細塵室１９の下部を覆うと共に後方端部が集塵容器本体１５に回動自在に軸支された蓋体２０を備えている。
【００２２】
蓋体２０は、コイルバネ２１により開成方向に付勢されており、通常は集塵容器本体１５に設けた尾錠２２で、その前部が閉じた状態に保持されており、容器ハンドル１２の前部に設けた容器操作部２３を押すと、それに連結された連結棒Ｃ４６を介して尾錠２２を外方に移動し、蓋体２０がコイルバネ２１の付勢力で開くようになっている。なお、２５は、バネ材で、容器操作部２３を常時上方に付勢するためのものである。
【００２３】
粗塵室１８は、吸入口１７と連通する部分を除く全内周壁（４側壁）は、下部開口２６に向かって次第に広がる傾斜面２７を有する一次フィルターＡ２８で形成されている。
【００２４】
また、粗塵室１８の上部には、上下動自在の連結棒Ａ２４の下端に固着されると共に、一次フィルターＢ２９を有した圧縮板３０が配されている。この圧縮板３０は、粗塵室３１内に捕集された塵埃を押さえつけて圧縮する圧縮手段となるものである。連結棒Ａ２４の上端には、略Ｌ字状のスライダー３１の一端が固着されている。スライダー３１の上下方向の側部にはラックギア３１ａが形成されている。３２は、連結棒Ａ２４を常時上方に、すなわち圧縮板３０を常時上方に付勢する弾性部材からなるスライダーバネである。
【００２５】
３３は、集塵容器４の側部に回転自在に支持された駆動軸で、後端にギヤＢ３５を有し、さらに、ギヤ群３９を介してラックギヤ３１ａに動力を伝達するためのギヤＤ３７を備えている。
【００２６】
４７は、集塵容器４の側部に回転自在に支持された駆動軸Ｂで、後方にギヤＦ４８を有し、ギヤＡ３４に噛み合うギヤＣ３６を備えている。
【００２７】
一方、掃除機本体１内の電動送風機室３と集塵容器収納部５とを仕切る隔壁４０には、集塵容器４を集塵容器収納部５に装着したときに、ギヤＢ３５が噛み合うと共に、圧縮駆動手段である圧縮駆動モータ５６で回転駆動されるギヤＥ３８を収納するギヤ収納部４１が設けられている。また、隔壁４０には、ギヤＦ４８に噛み合うと共に、除塵駆動手段である除塵モータ６１で回転駆動されるギヤＧ４９を備えている。
【００２８】
フィルターユニット１６は、図６に示すように、枠体４２と、プリーツ折りされ、そのプリーツ目を縦方向にして枠体４２に設けられた二次フィルター４３と、横方向に摺動自在に設けられ除塵手段である弾き体４４と、フィルターユニット１６の側部に回転自在に設けられたギヤＡ３４と、前記ギヤＡ３４の外周部と弾き体４４の一部とを連結する連結棒Ｂ４５とから構成されている。さらに、弾き体４４の二次フィルター４３と対向する面には、プリーツ折りされた二次フィルター４３の各山折り部に当接する突起（図示せず）が設けられている。
【００２９】
上記構成により、ギヤＡ３４を回転させると、連結棒Ｂ４５を介して連結された弾き体４４が左右に往復移動すると共に、その間に、連結棒Ｂ４５に設けた突起が、二次フィルター４３の山折り部を弾き、その時に振動やショックで、二次フィルター４３の裏面（粗塵室１８側の面）に付着した細塵がふるい落とされ、細塵室１９に溜まると共に、二次フィルター４３の濾過性能が復活するようになっている。
【００３０】
次に、図７を用いて、本実施の形態における電気掃除機の制御システムについて、説明する。
【００３１】
図７において、５１は、掃除機本体１が商用電源（図示せず）に接続され、通電されたかどうかを検知する通電検知手段である。
【００３２】
５２は、マイクロコンピュータなどにより構成される制御手段で、使用者によって運転操作部８より入力された操作情報に基づき、電動送風機２を駆動する駆動手段５４へ信号を出力したり、操作情報や通電検知手段５１の検知情報に基づき、圧縮手段を駆動する圧縮駆動手段５５へ信号を出力する制御手段である。圧縮駆動手段５５は、ギヤＥ５６を回駆動する圧縮駆動モータ５６などから構成され、前記制御手段５２からの信号を受けて、圧縮手段を駆動している。５３は、圧縮駆動モータ５６に加わる負荷量を検出する負荷量検出手段で、本実施の形態では、圧縮駆動モータ５６に流れる電流の増減を検出して圧縮駆動モータ５６に加わる負荷量を検出するようにしている。
【００３３】
また、５７は圧縮手段が集塵容器内でどれだけ移動したかを検出する圧縮量検出手段で、本実施の形態では、ギヤＥ３８の軸に取り付けられたマグネットの磁力をホールＩＣなどで構成された検出回路で検知することで、回転数に同期した信号を得られるようにしている。５８は、圧縮量検出手段５７の検出した信号から集塵容器内の塵埃量を判断する集塵量判断手段で、集塵容器内の塵埃が溜まるほど、圧縮板３０が移動できる距離が短くなることから、その塵埃量を判断するようにしている。５９は、集塵量判断手段５８の判断した集塵量に基づき、使用者に集塵量を報知する集塵量報知手段で、本実施の形態ではＬＥＤなどで構成された表示回路としている。
【００３４】
除塵駆動手段６０は、ギヤＧ４９を回駆動する除塵駆動モータ６１などから構成され、制御手段５２からの信号を受けて、除塵手段を駆動している。６２は、集塵容器４が、集塵容器収納部５に収納されていることを検知する、例えばマイクロスイッチなどで構成された集塵容器検出手段である。６３は、特に集塵量が所定以上に溜まっている場合に使用者に捨ててもらうことを促すための、例えばブザーなどで構成された満杯報知手段である。
【００３５】
上記のように構成された本実施の形態における電気掃除機の動作、作用は以下の通りである。
【００３６】
電気掃除機の使用開始に当たり、使用者が、掃除機本体１の電源プラグ（図示せず）を室内の壁に設けたコンセントに差すと、通電検知手段５１が、掃除機本体１に通電されたことを検知し、制御手段５２に信号を送る。制御手段５２は、圧縮駆動手段５５に信号を送って、ギヤＥ３８を回転駆動する圧縮駆動モータ５６を駆動するとともに、除塵駆動手段６０に信号を送り、ギヤＧ４９を回転駆動する除塵駆動モータ６１を駆動する。そして、ギヤＥ３８が回転することによって、圧縮駆動モータ５６の回転動力が、駆動軸３３に取り付けられたギヤＤ３７を介して、ラックギヤ３１ａに伝達され、圧縮板３０が下降して塵埃を圧縮すると同時に、除塵駆動モータ６１の回転動力が、駆動軸Ｂ４７に取り付けられたギヤＣ３６を介して、ギヤＡ３４に伝達され、弾き体４４が左右に往復移動して、二次フィルター４３の山折り部を弾いて、二次フィルター４３の裏面に付着した細塵をふるい落とす動作が、あらかじめ設定した時間内で行なわれる。
【００３７】
そして、前記圧縮板３０が、粗塵室１８内に堆積された塵埃を圧縮しながら、下降していくと、次第に、圧縮駆動モータ５６に加わる負担が増加し、それに伴い、圧縮駆動モータ５６に流れる電流が次第に増加し、負荷量検出手段５３が検出する負荷量が所定の負荷量を超えると、駆動圧縮手段５５が、粗塵室１８内の塵埃が十分圧縮されたと判断し、圧縮駆動モータ５６を逆転させて、圧縮板３０を最初の上死点まで後退させて、停止する。この一連の動作は、あらかじめ設定した回数内で行われる。
【００３８】
このとき、圧縮を終了して逆転を開始してから上死点で停止するまでの圧縮板３０の移動距離は、集塵容器内に溜まった集塵量が増加するほど減少するため、集塵量と一次的な関係にあると考えることができる。ギヤＥ３８の回転に合わせたマグネットのＯＮ／ＯＦＦをホールＩＣで検知してパルス信号とすることで、圧縮移動量検知手段５７は、そのパルス数から圧縮板３０の移動距離を検知し、集塵量判断手段５８は、その検知した移動距離から判断した集塵量を集塵量報知手段５９によって使用者に報知する。ギヤＥ３８の回転から移動距離を検出することによって、集塵容器４内と電気信号をやり取りする必要がなくなり、耐久性や取り扱いやすさの点からも使い勝手が良くなる。
【００３９】
特に、その集塵量が所定量を越えていた場合には、満杯報知手段６３によって、使用者に注意喚起し、満杯状態での運転を防ぐことによって、吸引力が低い状態での掃除を避け、電動送風機２の負担を減らすことができる。この満杯報知については圧縮動作直後に報知するだけでなく、次の運転指示を行なったときにも再度報知するようにすれば、より確実に使用者に満杯状態であることを報知することができ、掃除機への負担を減らすことができる。
【００４０】
また、圧縮動作を複数回行って圧縮効果を高めたり、少なくとも１回以上行った後で、再度圧縮動作をさせてときに集塵量の判断を行うようにすることで、圧縮移動量検知手段５７の検出精度を向上することもできる。
【００４１】
次に、運転操作部８を操作して、電気掃除機の運転を開始すると、制御手段５２は駆動手段５４に信号を送り、電動送風機２を運転させる。この電動送風機２による吸引力が、二次フィルター４３、一次フィルターＡ２８および一次フィルターＢ２９、粗塵室１８、ホース６、延長管１０を経て床用吸込具１１に至る。そして、床用吸込具１１から吸引された塵埃を含んだ空気が、掃除機本体１の吸気口７を通って集塵容器本体１５の吸入口１７から真っ直ぐ粗塵室１８に入り、一次フィルターＡ２８及び一次フィルターＢ２９に当たりそこで塵埃が捕集され、堆積していく。一次フィルターＡ２８および一次フィルターＢ２９を通過した空気に含まれる微細塵は、二次フィルター４３で捕捉される。
【００４２】
本実施の形態では、さらに、運転操作部８を操作して、電気掃除機の運転を停止すると、それを制御手段５２が検知して、運転開始時の塵埃の圧縮動作と二次フィルター４３の弾き体４４による細塵のふるい落とし動作と同じ動作を、あらかじめ設定した時間内もしくは回数内で行うようにしている。このとき、まず、除塵駆動手段６０によるニ次フィルター４３に除塵動作を先に行い、細塵のふるい落としを済ませてから圧縮動作を行うことで、細塵室１９から粗塵室１８に向かっての細塵の舞い上がりを低減し、一次フィルターＡ２８及び一次フィルターＢ２９への目詰まりも抑制することができ、かつ塵埃として圧縮によりまとめることができる。
【００４３】
次に、集塵容器４内に圧縮されて堆積した塵埃の廃棄について説明する。
【００４４】
集塵容器４を集塵容器収納部５から取り外す時は、容器ハンドル１２を握って集塵容器４を上方に持上げるだけで良い。そして、集塵容器４をごみ箱などの上に持っていって、容器操作部２３を押すと、連結棒Ｃ４６が下がって、尾錠２２が外方に移動して、蓋体２０と尾錠２２との係止が解除され、蓋体２０がコイルバネ２１の付勢力で開成し、集塵容器４内の圧縮された塵埃がごみ箱内に落下する。このとき、集塵容器検知手段６２は、集塵容器４が集塵容器収納部から取り出されたことを検出して集塵量判断手段５８へ信号を送る。集塵量判断手段５８はこれを受けて、集塵量報知手段５９および／または満杯報知手段６３で報知している内容を一旦抹消する。そして、再度集塵容器４が集塵容器収納部に取り付けられたことを集塵容器検知手段６２によって検知した時点で、再度圧縮動作を行って、集塵量を再判断することで、適宜集塵量の報知を行う。
【００４５】
以上のように、本実施の形態によれば、圧縮板３０で塵埃を圧縮しているときに、負荷量検知手段５３が所定の負荷量を検知すると、圧縮板３０を後退させるようにしており、また、圧縮板３０の移動量から圧縮量検出手段５７と集塵量判断手段５８により集塵容器内の塵埃量を検出しているので、集塵容器４内の塵埃の多少にかかわらず常に一定の力で塵埃を圧縮でき、塵埃の圧縮が不十分になったり、圧縮の際の力が強すぎて、集塵容器４が破損したり変形することも無く、また、クラッチ機構のような機械的な解除機構を使用していないので、耐久性に優れ且つ、精度の高い集塵量の判断及び報知を行うことができる電気掃除機を提供することができる。
【００４６】
また、圧縮駆動モータ５６、除塵駆動モータ６１は集塵容器収納部５の一部に設けたので、集塵容器４を軽量、コンパクトに形成できるようになり、集塵容器４の持ち運び、取り扱いが極めて容易になる。
【００４７】
また、圧縮動作を少なくとも１回以上行った後で、再度圧縮動作をさせてときに集塵量の判断を行うようにすれば、圧縮量検出手段５７の検出精度を向上できる。
【００４８】
さらに、二次フィルター４３を除塵する弾き体４４を設けたので、適宜二次フィルター４９の濾過性能を復活させることができ、掃除運転の終了後は、まず、除塵動作を先に行ってから圧縮動作をするようにすれば、細塵の舞い上がりを抑制し、塵埃としてまとめることができる。
【００４９】
また、集塵容器検出手段６２により集塵容器４の取り出しによる集塵量報知手段５９および／または満杯報知手段６３の報知内容を一旦抹消し、再度の取り付けを検知して集塵量の再判断をすれば、報知精度の高いより使い勝手の良い電気掃除機を提供できる。
【００５０】
また上記実施の形態では、駆動圧縮モータ５６と除塵駆動モータ６１の２個の駆動モータで圧縮動作と除塵動作を行うようにしたが、１個の圧縮駆動モータ５６で、圧縮板３０と、弾き体４４の両方を駆動するようにしてもよい。駆動軸３３にギヤＣ３６を連結させ圧縮板３０を駆動する圧縮モータ５６で、弾き体４４も駆動するようにしてもよい。そのようにすれば部品点数を減らし、より軽量化した構成を実現することができる。
【００５１】
また、圧縮板３０の移動距離の検出方法としては、本実施の形態では、ホールＩＣを用いた手段としたが、ポジションセンサやフォトセンサなどを用いても良い。また、圧縮駆動手段５５の負荷量と駆動時間から判断する方法も考えられるのはいうまでもない。
【産業上の利用可能性】
【００５２】
以上のように、本発明にかかる電気掃除機は、常に安定した圧縮力で塵埃を圧縮することが出来、耐久性に優れ且つ、精度の高い集塵量報知を行える、使用勝手の良いもので、家庭用、業務用、店舗用の各種電気掃除機に適用できる。
【図面の簡単な説明】
【００５３】
【図１】本発明の実施の形態１における電気掃除機の全体斜視図
【図２】同電気掃除機の断面図
【図３】同電気掃除機の集塵容器の斜視図
【図４】同集塵容器の断面図
【図５】同集塵容器と集塵容器収納部まわりの分解斜視図
【図６】同集塵容器の裏面斜視図
【図７】同電気掃除機の制御システムのブロック図
【符号の説明】
【００５４】
１    掃除機本体
２    電動送風機
４    集塵容器
５    集塵容器収納部
１５  集塵容器本体
３０  圧縮板（圧縮手段）
４４  弾き体（除塵手段）
５２  制御手段
５３  負荷量検知手段
５６  圧縮駆動モータ（圧縮駆動手段）
５７  圧縮量検出手段
５９  集塵量報知手段
６１  除塵駆動モータ（除塵駆動手段）
６２  集塵容器検知手段
６３  満杯報知手段
【図１】
2008073066.tif 000003
【図２】
2008073066.tif 000004
【図３】
2008073066.tif 000005
【図４】
2008073066.tif 000006
【図５】
2008073066.tif 000007
【図６】
2008073066.tif 000008
【図７】
2008073066.tif 000009